(57)【特許請求の範囲】
【請求項１】
左右のマグネットケース（４、４）に相互に吸着する左右のマグネット（５、５）を収容し、左右の前記ケースの裏面に球関節継手を形成する左右の球面座（１６）を形成し、左右の軸棒（３、３）の一端部に前記球面座にはまる球部（１０）と前記球面座の軸孔（１７）を通る軸部（１１）をそれぞれ形成し、前記軸棒の他端部に左右の吊具（２、２）の下端部を一体に連結してなることを特徴とするマグネット付きカーテン吊具。
【請求項２】
前記マグネットケースの裏面の前記球面座の外方に前記球部が出入可能な出入口（１８）を形成し、前記球面座の前記軸孔を半径方向に前記出入口まで延長したことを特徴とする請求項１記載のマグネット付きカーテン吊具。
【請求項３】
前記軸棒の前軸部の根元に円形のつば（１２）を設けて球関節継手の傾斜角度を限定したことを特徴とする請求項１又は２記載のマグネット付きカーテン吊具。
【発明の詳細な説明】
【０００１】
【発明の属する技術分野】
本発明は、１組のマグネット付きカーテン吊具に関する。
【０００２】
【従来の技術】
両開きカーテンを閉めた時、中央に隙間が生じると遮光が不完全になる。これを防止するために提案された一組のマグネット付きカーテン吊具は、実開昭５２−３９２１号により公知である。
【０００３】
この公知のマグネット付きカーテン吊具は、２本の吊具のそれぞれに、先端が相接近するように軸棒を接着し、一方の軸棒の先端に磁性板を固着して右吊具体を形成し、他方の軸棒の先端にマグネットを固着して左吊具体を形成し、右吊具体のフックを右カーテンの先頭カーテンランナのフック掛けに掛け、左吊具体のフックを左カーテンの先頭カーテンランナのフック掛けに掛け、左右カーテンを閉じた時に、左右吊具体の磁性板とマグネットを左右のカーテンの中央垂直面上において吸着結合させて、左右カーテンの中央に隙間が生じることを防止する。
【０００４】
【発明が解決しようとする課題】
公知のマグネット付きカーテン吊具は左右吊具体の軸棒を磁性板とマグネットに固着していたため、カーテン吊具左右のフック位置が規定されて自由度がなかった。その結果、マグネット付きカーテン吊具はフックの高さ調整ができなかった。又、吊具（２）の角度が垂直な状態でしかマグネットと磁性板が吸着しなかった。そのため吊具の位置がカーテン端部からの距離により吸着できない可能性があった。
【０００５】
本発明はこの問題を解決するためになされたものであり、その課題とするところは、マグネットにより吸着結合する左右一組のカーテン吊具であって、次のようなものを提供することにある。
１．カーテンの先頭カーテンランナの位置に左右されずにマグネット吸着するカーテン吊具。
２．フックの高さを自由に調整できるカーテン吊具。
３．カーテンレールの種類に関係なく使用することができるカーテン吊具。
【０００６】
【課題を解決するための手段】
前記課題を達成するため、本発明が採用する手段は、相互に磁力で吸着する左右マグネットをマグネットケースに収容し、左右のマグネットケースの裏面に球関節継手を介して左右軸棒の一端部を連結し、左右の軸棒の他端部を左右の吊具に一体結合してカーテン吊具を構成したことにある。
【０００７】
この構成により、軸棒はマグネットの裏面に対して立体的に自由に回動可能であるから、軸棒の他端部に一体結合した吊具のフックの前後及び左右位置の自由度も大きくなる。したがって、フックを掛ける先頭カーテンランナの位置の範囲も広くなるので各種のカーテンに適応することができる。又、カーテンにこの吊具を取り付けることにより、カーテンレールに専用のマグネットランナを取り付けなくてもよいから、カーテンレールの種類を問わず各種のカーテンに適用することができる。
【０００８】
球関節継手の球面座と軸孔はマグネットケースの裏面に、その球面座にはまる球部と軸孔にはまる軸部は軸棒の一端部にそれぞれ形成する。マグネットケースの裏面の球面座の外側に球部を出入する出入口を形成し、球面座の軸孔を半径方向に出入口まで延長して、球関節継手の組立を容易にすることが好ましい。
【０００９】
左右のカーテンを開いたとき、左右のマグネットケースが横になりカーテンから露出すると、カーテンの外観が見苦しくなるから、球関節継手に回転角度を限定するつばを付設してマグネットケースが横になることを防止することが望ましい。
【００１０】
【発明の実施の形態】
本発明のカーテン吊具を図面に示す実施例に基づいて説明する。
図１及び図２は実施例の正面図及び側面図である。
【００１１】
カーテン吊具は左右対称であり、左右の吊具２と、左右の軸棒３と、内部に左右のマグネット５を収容した左右のマグネットケース４とからなる。
カーテン１を吊る吊具２にはフック６が上下位置調整自在に取り付けられる。フック６は、左右カーテンの先頭のカーテンランナ８のフック掛け７に掛けられ、カーテンランナ８はカーテンレール９上を移動する。
【００１２】
軸棒３の一端部は球関節継手を形成する球部１０と軸部１１からなり、他端部は吊具２の下端に一体に連結される。軸棒３の軸部１１の根元には球関節継手の傾斜角度を限定する円形のつば１２が一体に形成される。実施例のつば１２は、球関節継手の立体的傾斜角度を３５度以内に限定する。
【００１３】
マグネットケース４は、内部に円板形のマグネット５を収容する円筒体であり、爪１３を介して表面と周面を形成するカバープレート１５と裏面を形成するベースプレート１４を弾性的に脱着自在に結合したものである。ベースプレート１４の中央内側には球部１０のはまる球面座１６と軸部１１のはまる軸孔１７が、球面座１６の外側に球部１０を出入する出入口１８が設けられる。軸孔１７は半径方向に出入口１８まで延長する。
【００１４】
球関節継手を組み立てるときは、始めにベースプレート１４の裏から軸棒３の球部１０を出入口１８に入れ、ついで、出入口１８から球部１０を球面座１６に移動する。それから、マグネット５を入れたカバープレート１５をベースプレート１４にはめる。
【００１５】
図３に示すように、マグネットケース４のカバープレート１５は中央に円形の大きな開口１９があり、そこから内部に収容した円板形マグネット５の端面が露出する。左右のケース４のカバープレート１５から露出するマグネット５の端面は相互に異極であり、合わせると相互に吸着する。
【００１６】
図３及び図４に示すように、吊具２の角軸２０を軸棒３の角穴２２に挿入したとき、角軸２０の突起２１が小穴２３に弾性的にはまり込み、吊具２と軸棒３を一体に結合する。
【００１７】
図１に示すように、左右の垂直なカーテン１が閉じたとき、左右のマグネット５の吸着面は左右のカーテンの中央垂直面上に位置する。
【００１８】
実施例のマグネット付きカーテン吊具は、マグネット５を収容するマグネットケースに球関節継手を介して軸棒３を連結したから、左右の吊具２に取り付けたフック６は、上下位置が調整できるだけでなく、球関節継手の立体的回動により、吊具２の角度が垂直にならない状態においてもマグネットの吸着は可能である。このように、フック６は立体的位置の自由度が大きく、立体的な位置の異なる先頭カーテンランナに対応することができるから、このマグネット付きカーテン吊具は各種のカーテンに適用可能である。
【００１９】
左右カーテン１に対する吊具２の前後角度位置は、図５（ａ）に示すように、球関節継手の中心に関して中心角約５５度の範囲内となり、左右カーテン１に対する吊具２の左右角度位置は、図５（ｂ）に示すように、球関節継手の中心に関して約７０度の範囲内となるから、左右カーテン１の先頭カーテンランナのフック掛けに掛けるフック６の位置は自由度が非常に大きい。したがって、実施例のマグネット付きカーテン吊具は、カーテンを閉じたときに先頭カーテンランナの位置が不規則となるカーテンレールに適用できる。
【００２０】
カーテンを開いたとき、マグネット付きカーテン吊具は左右に分離して、マグネットケースは傾斜するが、マグネットケースの傾斜はつば１２により３５度以下に限定されるから、マグネットケース４がカーテンからはみ出してカーテンの外観が見苦しくなるおそれはない。
【００２１】
【発明の効果】
上記のとおり、本発明のマグネット付きカーテン吊具は、先頭カーテンランナに掛ける左右吊具のフックの前後及び左右位置の自由度がほとんどなかったため、既定のカーテンにしか使用することができなかった従来のものとは異なり、相互に吸着する左右のマグネットを収容する左右のマグネットケースを球関節継手を介して左右の軸棒に連結し、その軸棒を左右の吊具にそれぞれ一体に連結してなるから、先頭カーテンランナに掛ける左右吊具のフックは立体的位置の自由度が大きく、先頭カーテンランナの位置が不規則となる各種のカーテンレールに使用できるという優れた効果を奏する。
【図面の簡単な説明】
【図１】本発明実施例のカーテン吊具の一部を断面で示す正面図、
【図２】図１のカーテン吊具の側面図、
【図３】図１のＩＩＩ−ＩＩＩ線矢視図、
【図４】図２のＩＶ−ＩＶ線矢視図、
【図５】カーテン吊具の角度位置範囲を示す図、（ａ）は前後範囲を、（ｂ）は左右範囲をそれぞれ示す。
【符号の説明】
１：カーテン
２：吊具
３：軸棒
４：マグネットケース
５：マグネット
６：フック
７：フック掛け
８：カーテンランナ
９：カーテンレール
１０：球部
１１：軸部
１２：つば
１３：爪
１４：ベースプレート
１５：カバープレート
１６：球面座
１７：軸孔
１８：出入口
１９：開口
２０：角軸
２１：突起
２２：角穴
２３：小穴
【図１】
0004411568.tif 000002
【図２】
0004411568.tif 000003
【図３】
0004411568.tif 000004
【図４】
0004411568.tif 000005
【図５】
0004411568.tif 000006